(57)【要約】【課題】本発明は、電気ロースターの上部に所定の空気カーテンを形成させることで、煙や臭いを効果的に除去することのできる電気ロースターの空気循環構造を提供する。【解決手段】ハウジングの壁面を二重壁で構成し、空気流入通路と空気排出通路とを形成し、このとき、ハウジングの上部において互いに対向しないようにし、ハウジングの下部に横方向に設けられ、空気流入通路と空気排出通路とを区画する区画部材と、ハウジングの上部内周面に設けられ、ロースターの上部の空気を流入する空気流入孔と、ハウジングの上部内周面に設けられ、空気流入孔と同一線上に位置してロースターの上部に空気を排出する空気排出孔と、区画部材上に設けられ、空気流入通路内の空気を空気排出通路に強制に移動する送風ファンと、空気排出通路上に設けられ、流入された空気の臭いを除去する脱臭剤と、脱臭された空気を殺菌するオゾン発生器と、殺菌された空気に陰イオンを放出する陰イオン発生器とを備えてなる。【選択図】　　　図２
2004033743.tif 000002
【特許請求の範囲】
【請求項１】
一定のハウジングの底部に電気ヒーターを内蔵し、前記電気ヒーターの上部に焼きパンを備え、前記ハウジングの内部に所定の空気通路が設けられ、前記空気通路上には、煙や臭いを除去するフィルタ手段が設けられ、送風ファンの送風力で煙や臭いが前記空気通路に沿って循環しながら自体的な除去が可能な空気循環構造を有する電気ロースターにおいて、
前記ハウジングの壁面を二重壁で構成し、空気流入通路と空気排出通路とを形成し、このとき、前記ハウジングの上部において互いにに対向しないようにし、
前記ハウジングの下部に横方向に設けられ、前記空気流入通路と前記空気排出通路とを区画する区画部材と、
前記ハウジングの上部内周面に設けられ、ロースター上部の空気を流入する空気流入孔と、
前記ハウジングの上部内周面に設けられ、前記空気流入孔と同一線上に位置して前記ロースターの上部に空気を排出する空気排出孔と、
前記区画部材上に設けられ、前記空気流入通路内の空気を前記空気排出通路に強制移動させる送風ファンと、
前記空気排出通路上に設けられ、流入された空気の臭いを除去する脱臭剤と、脱臭された空気を殺菌するオゾン発生器と、殺菌された空気に陰イオンを放出する陰イオン発生器とを備えてなることを特徴とする電気ロースターの空気循環構造。
【発明の詳細な説明】
【０００１】
【発明の属する技術分野】
本発明は、電気オーブンロースターに関し、より詳しくは、肉類や魚介類を焼く時に発生する煙や臭いを別の排気ダクトを設けることなく自体的に除去可能であり、特に、電気ロースターの上部に所定の空気カーテンを形成することで、煙や臭いを効果的に除去することのできる電気ロースターの空気循環構造に関する。
【０００２】
【従来の技術】
一般に、電気ロースターとは、一定のハウジングの底部に電気ヒーターを内蔵し、その上に用途に応じて焼きパン、フライパンなどを位置させ、ハウジングの底面には肉類や魚介類などを焼く時に発生する油を受ける油収容部が設けられ、前記ハウジングの覆いが設けられている。
【０００３】
また、前記ハウジングの一側には前記電気ヒーターに電源を供給すると共に温度調節用コントロール箱が設けられている。
【０００４】
しかし、上記の一般の電気ロースターは、焼きパン、フライパンに肉類や魚介類などを焼く時に発生する臭いや煙を自体内で除去することができず、所定の空間に残留することになり、使用者の目と鼻を刺激するという問題点があった。
【０００５】
そして、別のダクトを前記ロースターの上部に取り付け、ファンで強制吸入させることで排出が行われている。
【０００６】
しかし、ダクトを取り付ける場合、ダクトが、向かい合って座っている人々の対話において妨害物となり、また、ダクトが機能を十分に発揮するためには電気ロースターの真上に位置する必要があり、ダクトがわずかに高く位置されても、煙や臭いの除去効果が低下するという問題点があった。
【０００７】
特に、ダクト内部に付いている異物が、使用中に電気ロースター上に落ちて衛生上良くないという問題点もあった。
【０００８】
【発明が解決しようとする課題】
本発明は、上記のような問題点を解決するためになされたもので、本発明の目的は、電気ロースターの焼きパンおよびフライパンで肉類や魚介類などを焼く時に発生する煙や臭いを効果的に完全除去すると共に、殺菌し、陰イオンを発生することで、別の排気ダクトを設けることなく、清潔でかつ簡便に使用できる電気ロースターの空気循環構造を提供することにある。
【０００９】
上記の目的を達成するための本発明の構成によれば、一定のハウジングの底部に電気ヒーターを内蔵し、前記電気ヒーターの上部に焼きパンを備え、前記ハウジングの内部に所定の空気通路が設けられ、前記空気通路上には、煙や臭いを除去するフィルタ手段が設けられ、送風ファンの送風力で煙や臭いが前記空気通路に沿って循環しながら自体的な除去が可能な空気循環構造を有する電気ロースターにおいて、前記ハウジングの壁面を二重壁で構成し、空気流入通路と空気排出通路とを形成し、このとき、前記ハウジングの上部において互いに対向しないようにし、前記ハウジングの下部に横方向に設けられ、前記空気流入通路と前記空気排出通路とを区画する区画部材と、前記ハウジングの上部内周面に設けられ、ロースターの上部の空気を流入する空気流入孔と、前記ハウジングの上部内周面に設けられ、前記空気流入孔と同一線上に位置して前記ロースターの上部に空気を排出する空気排出孔と、前記区画部材上に設けられ、前記空気流入通路内の空気を前記空気排出通路に強制移動させる送風ファンと、前記空気排出通路上に設けられ、流入された空気の臭いを除去する脱臭剤と、脱臭された空気を殺菌するオゾン発生器と、殺菌された空気に陰イオンを放出する陰イオン発生器とを備えてなる。
【００１０】
【発明の実施の形態】
以下、添付の図面を参照しながら本発明の電気ロースターの空気循環構造について詳細に説明する。
【００１１】
図１は、本発明の電気ロースターを示す斜視図であり、図２は、本発明に係る電気ロースターの空気循環構造を示す電気ロースターの切開斜視図であり、図３Ａ及び図３Ｂは、本発明に係る電気ロースターの空気循環構造を示す電気ロースターの縦断面図である。
【００１２】
図示したように、本発明においては、底部に電源を印加され熱を発散する電気ヒーターが設けられたハウジング１０を有し、ハウジング１０を二重壁１１で構成し、二重壁１１内に所定の空間を形成し、これを縦方向に遮断し、一側は空気流入通路２０が、他側は、空気排出通路３０が設けられるようになる。
【００１３】
また、前記ハウジングの内周面の上端には、空気流入通路２０に空気が流入されるように多数の空気流入孔２１と、空気排出通路３０から空気が排出されるように多数の空気排出孔３１とをハウジング１０の内面に向かうように設ける。
【００１４】
なお、ハウジング１０の底面に所定の空間を横方向に形成された区画部材４０で二層構造で形成する。ここで、上側は空気流入通路２０と連結され、下側は空気排出通路３０と連結される。
【００１５】
また、区画部材４０に送風ファン５０を設けることにより、空気流入通路２０内の所定の空気を空気排出通路３０に強制移動させることもできる。
【００１６】
ハウジング１０の底面の下側、即ち、空気排出通路３０の一端には所定の脱臭剤６０が設けられ、排出される空気の臭いを除去することができ、空気排出通路３０上に設けられ、脱臭剤６０の一側に次第にオゾン発生器７０、陰イオン発生器８０を設け、送風ファン５０で強制移動された空気の殺菌および陰イオン放出を可能とする。
【００１７】
前記オゾンおよび陰イオン発生器の作動のため、ハウジングの一側に電気ヒーターを制御する温度調節用コントロール箱から電源が供給される。なお、前記オゾンおよび陰イオン発生器は、通常の機器であるため、詳細な説明は省略する。
【００１８】
このような構成の本発明においては、使用者がロースターの焼きパンで肉類や魚介類を焼く時に送風ファンとオゾンおよび陰イオン発生器を作動させるようになる。
【００１９】
前記送風ファンが動作されると、空気流入通路の一側に形成された空気流入孔から所定の空気が流入されるが、このとき、焼きパンで焼かれる肉類や魚介類から発生する煙と共に流入され、焼きパン外部への煙の発散を防止する。
【００２０】
煙と一緒に前記空気流入孔を介して流入される所定の空気は、前記空気流入通路内に集まり、前記送風ファンによって空気排出通路に強制移動される。
【００２１】
このとき、前記空気排出通路の一側に設けられた脱臭剤で空気中の臭いを除去し、オゾンおよび陰イオン発生器は、空気と一緒に流入された煙を殺菌すると共に陰イオンを放出させることで快適な環境での使用を可能とする。
【００２２】
前記オゾンおよび陰イオン発生器、脱臭剤によって殺菌および臭消しが行われた空気は、前記空気排出通路の空気排出孔を介して外部に排出されるが、このとき、前記空気排出孔は、ハウジングの上部に設けられ、前記ハウジングの内面に向けて形成され、前記空気排出孔を介して排出される空気は、前記ハウジングの上部に所定のエアーカーテンを形成する。
【００２３】
従って、前記空気排出孔を介して排出された空気で形成されるエアーカーテンによって肉類や魚介類を焼く時に発生される煙や臭いを一層効果的に遮断することができ、発生された煙は、前記エアーカーテンによって外部に発散されることなく空気流入孔を介して流入される。
【００２４】
【発明の効果】
以上のように、本発明は、肉類や魚介類を電気ロースターで焼く時に発生される煙や臭いなどを別の排気ダクトを設けることなく電気ロースターの空気カーテンで外部への流出を完全に遮断すると共に、自体的に循環させて除去し、陰イオンを放出させることで、清潔でかつ簡便に快適な環境での使用を可能とする効果を奏する。
【図面の簡単な説明】
【図１】本発明の電気ロースターを示す斜視図である。
【図２】本発明に係る電気ロースターの空気循環構造を示す電気ロースターの切開斜視図である。
【図３Ａ】本発明に係る電気ロースターの空気循環構造を示す電気ロースターの縦断面図である。
【図３Ｂ】本発明に係る電気ロースターの空気循環構造を示す電気ロースターの縦断面図である。
【符号の説明】
１０　ハウジング
１１　二重壁
２０　空気流入通路
２１　空気流入孔
３０　空気排出通路
３１　空気排出孔
４０　区画部剤
５０　送風ファン
６０　脱臭剤
７０　オゾン発生器
８０　陰イオン発生器
【図１】
2004033743.tif 000003
【図２】
2004033743.tif 000004
【図３Ａ】
2004033743.tif 000005
【図３Ｂ】
2004033743.tif 000006